(57)【要約】【課題】構造も単純で、価格も廉価で、故障しにくく、更に、既設の直接読取り式の液体燃料タンクの液面計にも取付け可能な、液体燃料タンクの残油量が空タンク近傍になった時に警報表示可能となる液体燃料タンクの液面計を提供すること。【解決手段】    液体燃料タンク内の液面に浮かぶフロート部材の上昇下降に連動して、この液体燃料タンク内の液体の貯留量を貯留量指示部材にて指示する液体燃料タンクの液面計において、  前記貯留量指示部材に係合されていて、前記フロート部材が満タンク側から移動して空タンクの手前近傍位置から空タンク位置まで検知し続けると共に、複数箇所に警報表示する液面検知警報表示装置を備えた液体燃料タンクの液面計。【選択図】図１
2005214523.tif 000002
【特許請求の範囲】
【請求項１】
液体燃料タンク内の液面に浮かぶフロート部材の上昇下降に連動して、この液体燃料タンク内の液体の貯留量を貯留量指示部材にて指示する液体燃料タンクの液面計において、
前記貯留量指示部材に係合されていて、前記フロート部材が満タンク側から移動して空タンクの手前近傍位置から空タンク位置まで、液体の貯留量を検知し続けると共に、複数箇所に警報表示する液面検知警報表示装置を備えたことを特徴とする液体燃料タンクの液面計。
【発明の詳細な説明】
【技術分野】
【０００１】
本発明は、温水循環暖房や石油温風暖房等の液体燃料燃焼装置における別設タイプの液体燃料タンクの液面計に関する。
【背景技術】
【０００２】
従来、この種のものの例として、図８に室外側に設置した液体燃料燃焼装置と別設の液体燃料タンクとその液面計の構成図を示す。図中１０は灯油などの液体燃料を貯留する液体燃料タンクであり、この液体燃料タンク１０１の上部に液面計（油量計やタンクゲージとも言う）１０２が設けられている。図９は、この従来の液体燃料タンク１０１の液面計１０２の平面図である。図１０は従来の液体燃料タンク１０１の液面計１０２の要部縦断正面図である。図１１は従来の液体燃料タンク１０１の液面計１０２の要部縦断側面図である。図１２（ａ）は、従来の別の形式の液体燃料タンク１０１の液面計１３０の要部縦断正面図であり、（ｂ）は、図１２（ａ）の支柱１４２及びフロート部材１５３の部分詳細斜視図である。
【０００３】
図８を参照すると、室外側において、液体燃料タンク１０１が右支柱１０４と左支柱１０５とにより支持固定され設置されている。この液体燃料タンク１０１には給油用配管１０６を介して燃焼装置１０７が接続設置されている。この燃焼装置１０７の内部には図示しない熱交換器やバーナ部を有し、水用配管１０９により導入された水を加熱して湯（温水）となし、給湯用配管１０８を経由して室内側に湯（温水）を配送し、還流してくる水を水用配管１０９を通して導入し、再度加熱して湯となしサイクリックに動作させて、給湯や暖房のシステムを形成している例である。
【０００４】
更に図８は、液体燃料タンク１０１の一部を破断して内部を透かした状態図としても示されている。即ち後述するが、支柱１２１に段付リベット１２３にて回動自在に枢支された略く字形回動レバー１２２に固着されたロッド１２５の先端に設けたフロート１２６が液体燃料タンク１０１内の液体燃料の表面に浮き、略く字形回動レバー１２２の上端部に貯留量指示部材（液量表示用指針）１１８が形成されていて、液面高さに応じて二点鎖線の矢印Ａ方向にフロート１２６が移動すると、貯留量指示部材（液量表示用指針）１１８の指示は満タンク表示となり、矢印Ｂ方向にフロート１２６が移動すると、貯留量指示部材（液量表示用指針）１１８は０（零）空タンク表示となる。そしてこの液面計１０２の貯留量指示部材（液量表示用指針）１１８と液量表示目盛１１７とにより液体燃料タンク１０１内の貯留量を直接読み取ることができる（図９、図１０参照）。即ち、略く字形回動レバー１２２とロッド１２５とそのロッド１２５の先端に設けられたフロート１２６により形成されるフロート部材１２９が段付リベット１２３にて回動自在に枢支される。そして、フロート部材１２９を構成するフロート１２６の上昇下降に連動して、液体燃料タンク１０１内の液体の貯留量が貯留量指示部材（液量表示用指針）１１８にて指示される。
【０００５】
図９を参照すると、液体燃料タンク１０１の液面計１０２が、ゲージキャップ１１４に被着されて取付けねじ１２０にて固定された透明カバー１１５を透過して、表示銘板１１６上の液量表示目盛１１７と中央部の左右に延在して設けられた移動用溝１１９の中を移動する貯留量指示部材（液量表示用指針）１１８が示されている。更に図１０を参照すると、液体燃料タンク１０１の一部を破断して内部を示し、液体燃料タンク本体１０１Ａに設けられたゲージ口金１０１Ｂの上端開口部に、下ガスケット１２７、その上に表示銘板１１６のフランジ部を重ね、更に、上ガスケット１２８と透明カバー１１５を重ねて、その外側をゲージキャップ１１４にて被着して、両側面より取付けねじ１２０にて固定されている。
【０００６】
そして表示銘板１１６の下方裏面には板状の支柱１２１が移動用溝１１９の中央寄りに溶接又はリベット等で固着してある。この支柱１２１の下端部に略く字形回動レバー１２２が、段付リベット用穴１２３Ａに段付リベット１２３を挿通させて回動自在に枢支されて設けられている。この略く字形回動レバー１２２の下方端部近傍には、段付リベット用穴１２３Ａ寄りにロッド用穴１２２Ａを設け、そのロッド用穴１２２Ａ内に、ロッド１２５の曲げた上端部を通し、押え金具１２４を被せて溶接等にて固着されたロッド１２５が下方に延在し、そのロッド１２５の端部近傍に脱落防止のためロッド１２５を折り曲げて設けたフロート１２６が液体燃料タンク１０１内の液体燃料の表面に浮き、液面高さに応じて、段付リベット１２３を中心に略く字形回動レバー１２２が回動自在に動く。そして略く字形回動レバー１２２の上端部が貯留量指示部材（液量表示用指針）１１８となっている。このようにして液面計１０２が構成されている。即ち、前述したように略く字形回動レバー１２２とロッド１２５とそのロッド１２５の先端に設けられたフロート１２６によりフロート部材１２９が形成される。そのフロート部材１２９を構成するフロート１２６の上昇下降に連動して、液体燃料タンク１０１内の液体の貯留量が貯留量指示部材（液量表示用指針）１１８にて指示される。
【０００７】
更に図１１（図１０の側面図でもある）を参照すると、液体燃料タンク１０１の一部を破断して内部を示し、液体燃料タンク本体１０１Ａに設けられたゲージ口金１０１Ｂの上端開口部に、下ガスケット１２７、その上に表示銘板１１６のフランジ部を重ね、更に、上ガスケット１２８と透明カバー１１５を重ねて、その外側をゲージキャップ１１４にて被着して、両側面より取付けねじ１２０（図１０には図示され、図１１には図示されてない。）にて固定されている。そして表示銘板１１６の下方裏面には板状の支柱１２１が移動用溝１１９の中央寄りに溶接又はリベット等で固着してある（図１０では、移動用溝１１９との位置関係を明示され得なかった。）。この支柱１２１の下端部に段付リベット１２３にて回動自在に枢支された略く字形回動レバー１２２が設けられている。この略く字形回動レバー１２２の下方端部近傍には、段付リベット寄りにロッド用穴１２２Ａを設け、そのロッド用穴１２２Ａ内に、ロッド１２５の曲げた上端部を通し、押え金具１２４で固着された、そのロッド１２５の下端部近傍にフロート１２６が設けられ、ロッド１２５からフロート１２６が脱落しないように、そのロッド１２５の末端部を上方に折り曲げてある。尚、押え金具１２４は略く字形回動レバー１２２に溶接やねじ止め等で固着されていればよい。
【０００８】
次に、従来の別の形式の液体燃料タンク１０１の液面計１３０を、図１２（ａ）に示す要部縦断正面図（一部破断面）と、同図（ｂ）に示す図１２（ａ）の部分詳細斜視図とを参照して説明する。液体燃料タンク１０１の液体燃料タンク本体１０１Ａに設けたゲージ口金１０１Ｂの上端開口部に、ガスケット１４５を介在させてキャップ部材１４１を被せ、更に、その上にハット形の透明カバー１３５を載せ、そのハット形の透明カバー１３５のフランジ部の外側にゲージキャップ１３４を被着させて、側面から取付けねじ１４４にて固着してなる。ハット形の透明カバー１３５の表面には液量表示目盛１３７を施してあり、内部空間にボス部１３９を有する貯留量指示部材（液量表示用指示円板）１３８がボス部１３９の下端面部にロッド１４０を挿着させて上下動する様子が透過して見える。そして下方に延在するロッド１４０は、キャップ部材１４１の中心部に設けられた上方案内穴１４１Ａに緩挿案内され、更に液体燃料タンク１０１内に延在してキャップ部材１４１の下側裏面に曲げ起し座面（３個）により固着された断面コ字形状の支柱１４２の途中に設けられた曲げ起し部１４３に穿たれた下案内穴１４３Ａにも緩挿案内され、そのロッド１４０の下方端末は圧造されて成形された平坦部１４０Ａと、その平面に設けられた穴１４０Ｂを有している。即ち、ロッド１４０は恰も下端が櫂のように広がった形状をなし、そこに穴１４０Ｂが設けられている。
【０００９】
そして、前記した断面コ字形状の支柱１４２は、前記ロッド１４０よりも、更に下方に延在し、その下方端部は曲げ加工にて対向配置された一対の下方支持面部１４３，１４３を形成し、夫々その下方支持面部１４３、１４３に、その軸心が垂直な直線上になるように支持穴１４９、１４９を設けてある。この一対の下方支持面部１４３，１４３に挟まれて、フロート部材１５３の構成要素の一つである回動板１５４の左方端部が、回動自在に第１のピン１５１に枢支されている。即ち、一方の前記下方支持面部１４３の前記支点穴１４９を貫いた前記第１のピン１５１は、次に前記回動板１５４の回動穴１５５に挿通され、更に、他方の前記下方支持面部１４３の前記支点穴１４９を貫いて設けられている。そして、その第１のピン１５１の先端部には脱落防止にプッシュナット（薄板製抜け止め用皿ばね）１５２が外嵌されている。そして、この第１のピン１５１により回動自在に回動穴１５５にて枢支されている回動板１５４は、右方に中間穴１５６を、更にその右方にロッド用穴１５７を有し、そして、その右方端部に押え金具１５８を取付けられるようになっている。
【００１０】
ここで、前記フロート部材１５３の構成を述べる。即ち、回動板１５４のロッド用穴１５７に、曲げたロッド１５９の左方の一端部をそのロッド用穴１５７に差込み、ロッド１５９はその右方にて、回動板１５４の右端部に押え金具１５８を介して、溶接等にて固着されている。更に、ロッド１５９は右方に伸びて、右方他端部にてフロート１２６を貫通し、その両脇にて折り曲げられフロート１２６の脱落を防止している（図１１に示すロッド１２５とフロート１２６との関係と同様である。）。このようにしてフロート部材１５３が回動板１５４とロッド１５９とフロート１２６とにより形成されている。そして、この回動板１５４の中間部の中間穴１５６には、リンク部材１６１の下方の一端の穴１６２を貫装した第２のピン１６３により回動自在に枢支されている。更に、このリンク部材１６１の上方の他端の穴１６２には、別の第２のピン１６３により貫装され、更に、この別の第２のピン１６３は前記ロッド１４０の穴１４０Ｂに回動自在に枢着されている。そして、これら上下の第２のピン１６３の先端にも各々脱落防止のプッシュナット１５２が外嵌されている。このリンク部材１６１により、液体燃料タンク１０１内にて、上下方向に揺動するフロート１２６を備えたフロート部材１５３と、上下動する貯留量指示部材（液量表示用指示円板）１３８とが連動するようになっている。即ち、フロート部材１５３が、矢印Ｋ方向に上昇すると貯留量指示部材（液量表示用指示円板）１３８も矢印Ｇ方向である満タンク方向に上昇し、二点鎖線の矢印Ｊ方向に下降すると貯留量指示部材（液量表示用指示円板）１３８も二点鎖線の矢印Ｈ方向である空タンク方向に下降する。
【００１１】
ところで、前記したフロートを用いた液体燃料タンクの液面計の例は特許文献１がある。その他、屋外に設置した別設タンクと、この別設タンクから燃焼機に燃料を供給する送油管に配置した圧力センサーの出力により燃料タンクの残油量を算出する制御部と、それにより残油量の状態を表示する表示部と、前記燃料タンクの油面高さが下限の時に読み込む圧力センサーの出力を初期値として設定する初期設定部と、燃料タンクの大きさに関係するタンク定数設定部と、圧力センサーの出力に応じて残油量を算出する残油量演算部と、残油量演算結果に基づき、残油量の状況を表示でき、給油予告も表示できる液体燃料タンクの液面計の例は特許文献２にある。
【００１２】
更に、灯油取出路において灯油タンクとの接続部に圧力スイッチを配置し、このスイッチの出力信号線を電話回線の端末ターミナルに接続することにより、確実に灯油タンク内の灯油残量を検出し、報知することを可能とする検出報知装置を備えた液体燃料タンクの液面計の例として特許文献３がある。
【特許文献１】特開２０００−１８９９８号公報
【特許文献２】特開平７−３５３２９号公報
【特許文献３】特開２００２−１８８８１２号公報
【発明の開示】
【発明が解決しようとする課題】
【００１３】
しかしながら、前述の如く先行技術の内、特許文献１に開示されているような単純な直接読取り式の液体燃料タンクの液面計においては、極寒時に室外に出て液体燃料タンクの残油量を確認するのには大変厳しく煩わしいものがある。その他の特許文献２，３の液体燃料タンクの液面計においては、便利ではあるが複雑な制御回路を使用したシステムであり、何らかの理由により、一旦故障や不具合等が発生すると、修理復旧するのに専門知識を有する係員が必要であったり、手間と時間とがかかり経費も高いものとなっていた。そこで本発明の目的は、極寒時に室外に出て液体燃料タンクの残油量を確認する必要もなく、室内側で液体燃料タンクの残油量の少なくなったことを知ることができ、しかも、構造も単純で、価格も廉価で、故障しにくく、更に、既設の直接読取り式の液面計にも取付け可能な、液体燃料タンクの残油量が少なくなり空タンクの手前近傍位置から空タンク位置まで検知し続け、且つ、この検知信号により警報表示する液面検知警報表示装置を備えた液体燃料タンクの液面計を提供することにある。
【課題を解決するための手段】
【００１４】
本発明は、液体燃料タンク内の液面に浮かぶフロート部材の上昇下降に連動して、この液体燃料タンク内の液体の貯留量を貯留量指示部材にて指示する液体燃料タンクの液面計において、前記貯留量指示部材に係合されていて、前記フロート部材が満タンク側から移動して空タンクの手前近傍位置から空タンク位置まで検知し続けると共に、複数箇所に警報表示する液面検知警報表示装置を備えたことを特徴とする液体燃料タンクの液面計である。
【発明の効果】
【００１５】
本発明によれば、液体燃料燃焼装置と別設形の液体燃料タンク内の残油量が少なくなり空タンクの手前近傍位置から空タンク位置まで液体燃料タンクの液面計にて検知し続けると共に、複数箇所に警報表示する液面検知警報表示装置を備えた液体燃料タンクの液面計であり、極寒時に室外に出て液体燃料タンクの残油量を確認する必要もなく、家の人により室内側からも、同時に液体燃料の販売業者の係員により室外側からでも液体燃料タンクの残油量の少なくなった表示を視認することができ、しかも、構造も単純で構成する部品数も少なくて、価格も廉価で、故障しにくく、更に、既設の直接読取り式の液体燃料タンクの液面計にも取付け可能であり、便利である。また、設置時や点検保守時に、係員がその都度、室内側に警報表示を確認しに入ったり、室内側に別な人に居てもらわなくても、室外側から警報表示を確認できるために作業がやり易くて便利である。回路ボックスの着脱が雌雄のファスナにより容易であり、乾電池の交換が容易に出来る。また、警報表示板の取付けも雌雄のファスナーを使用していて着脱が容易なので、点滅する光を発する回路ボックスの蓋側の光放射部を、見やすい位置に合わせて、警報表示板の取付け位置の調整が容易に出来て便利である。第１のマグネット組立は、余分なばね等を使用せず自重により、リードスイッチ部と離隔してＯＦＦにするために簡素な構造で、価格も廉価で、故障しにくく便利である。また、複数の必要箇所に、液面検知警報表示が行えて、空タンクの警報表示の見落す機会が少なくなり、一層便利である。
【発明を実施するための最良の形態】
【００１６】
以下、本発明の液体燃料タンクの液面計の第1の実施の形態を図面を参照しながら説明する。本発明に係る図１〜図６（ａ），図６（ｂ）は、本発明を実施する形態の一例であって、図中、図８〜図１１に示す従来技術の液体燃料タンクの液面計と同一の符号を付した部分は同一物を表わし、基本的な構成は図８〜図１１に示す従来のものと同様である。
【００１７】
図１は本発明に係る液体燃料燃焼装置１０７と、別設液体燃料タンク１０１と、この液体燃料タンク１０１内の残油量が少なくなり空タンクの手前近傍位置から空タンク位置まで検知し続けると共に、回路ボックス３１内に、発光ダイオード３４の点滅する赤色光を回路ボックス３１の外方（表裏双方）へ案内するため、２個の拡散レンズ４６を設け室内外の複数箇所に警報表示する警報表示装置１を備えた液体燃料タンク１０１の液面計１０２の構成図である。これは図８の従来の液体燃料燃焼装置１０７と別設燃料タンク１０１と液面計１０２の構成図に対して、液面検知警報表示機能部分が付加されたものである（図６も参照）。即ち、液面計１０２の透明カバー１１５内面の所定位置に、第１のマグネット組立２を貼付し、その検知レバー３がフロート部材１２９を構成する略く字形回動レバー１２２及び貯留量指示部材（液量表示用指針）１１８とに係合し作動するように設けられ、更に、透明カバー１１５の表面の所定位置にリードスイッチ部４１を貼付し、このリードスイッチ部４１と配線４２にて接続された、表裏の複数箇所に室外室内の双方向に向けて光を放射する回路ボックス３１を窓ガラス６６の室外側に取り付け、そして室内側に放射された赤色点滅光を視認しやすくするための警報表示板６１を室内側に設けて成る液面検知警報表示装置１が付加されている液体燃料タンク１０１の液面計１０２である点が異なる。
【００１８】
図１を参照すると、室外側において、液体燃料タンク１０１が右支柱１０４と左支柱１０５とにより支持固定され設置されている。この液体燃料タンク１０１には給油用配管１０６を介して液体燃料燃焼装置１０７が接続設置されている。この液体燃料燃焼装置１０７の内部には図示しない熱交換器やバーナ部を有し、水用配管１０９により導入された水を加熱して湯（温水）となし、給湯用配管１０８を経由して室内側に湯（温水）を配送し、還流してくる水を水用配管１０９を通して導入し、再度加熱して湯となしサイクリックに作動させて、給湯や暖房のシステムを形成している。
【００１９】
図１は、また、液体燃料タンク１０１の一部を破断して内部を透かした状態図として示されている。板状の支柱１２１に段付リベット１２３にて回動自在に枢支されたフロート部材１２９（フロート部材１２９の構成は、略く字形回動レバー１２２に固着されたロッド１２５の先端に設けられたフロート１２６で構成され、段付リベット１２３が挿通された段付リベット用穴１２３Ａが回動中心となる。）のフロート１２６が液体燃料タンク１０１内の液体燃料の液表面に浮き、液面高さに応じて二点鎖線の矢印Ａ方向にフロート部材１２９のフロート１２６が上昇すると、貯留量指示部材（液量表示用指針）１１８は満タンク表示となり、矢印Ｂ方向にフロート部材１２９のフロート１２６が下降すると、貯留量指示部材（液量表示用指針）１１８は０（零）空タンク表示となる。そしてこの液面計１０２を直接読み取ることもできることは従来と同様であるが、本発明で液面検知警報表示装置１を設けており、窓ガラス６６の室外側に回路ボックス３１を配置し、液体燃料が消費されて残油量がタンク容量の約１/４に残り少なくなると回路ボックス３１内の、内部にＬＥＤチップを配設しその周囲全体を透明エポキシ樹脂等で成型されてなる、発光ダイオード３４の点滅する光（通常は赤色）を、回路ボックス３１の底面側に設けた一方の拡散レンズ４６を通して室外側からも視認できることは勿論、同時に発光ダイオード３４の点滅する光（通常は赤色）は回路ボックス３１の蓋５１側に設けた他方の拡散レンズ４６と警報表示板６１の警報光ガイド穴６３とを通して室内側からも視認できる。即ち、室内外の複数方向から視認できる。これにより、設置時や点検保守時に、係員がその都度、室内側に警報表示を確認しに入ったり、室内側に別な人に居てもらわなくても、室外側から警報表示を確認できるために作業がやり易くて便利である。
【００２０】
図２は、本発明の液体燃料タンクの液面計に係る第１の実施の形態の液面検知警報表示装置１の分解斜視図である。図を参照して、液面検知警報表示装置１は、主に室外側に回路ボックス３１と、これと配線４２により接続されたリードスイッチ部４１と、第１のマグネット組立２とが配設され、そして主に室内側には警報表示板６１が配設されている。まず回路ボックス３１について説明する。合成樹脂で成型したボックス本体３２内に、対角線上に一対の基板取付部４３（底面部に近い低めの高さ）と、四隅に蓋取付部４４とを、底面部にレンズ取付穴４５を、側面部に配線通し穴４０を設けている。底面部を貫通するレンズ取付穴４５には、拡散レンズ４６の光放射部４９を挿通させ、レンズの先端部の光放射部４９を少々外部表面に突出させて、ボックス本体３２の内壁面に取付円板部４７にて接着し、拡散レンズ４６の光導入部４８を、制御基板３３の発光ダイオード取付穴３５に挿入されて取付けられている発光ダイオード３４の尾底部に対応して臨ませている。これにより室外側からも、ＬＥＤチップの周囲全体が透明エポキシ樹脂等で成型されてなる発光ダイオード３４が発する赤色の点滅する光を案内し、視認可能としている。拡散レンズ４６において、取付円板部４７の一方面側には、その先端面が平面をなす光導入部４８を形成し、取付円板部４７の他方面側には、その先端面が球面をなす光放射部４９を形成して成り、その材質は、透明な光透過性のよい光を案内するための合成樹脂製で例えばアクリル樹脂等でよい。
【００２１】
制御基板３３には、前記基板取付部４３に対応した対角線上の位置に取付穴３９を設け、取付ねじ５６にてボックス本体３２内に取付けられる。更に、制御基板３３を貫通して取付けられた発光ダイオード３４の下方側には、回路部品を搭載させて発光ダイオード３４を点滅させるウインカー回路や電池電圧対応回路等を構成する制御回路部３８（二点鎖線枠部において示され、構成の中身は省略）が設けられている。制御回路部３８に隣接して電池ボックス３６が設けられ、中に乾電池３７が装着されている。乾電池３７は例えば１．５Ｖの単５形のマンガン電池等でもよく、その他の電池や電源でもよい。蓋５１の取付けにより乾電池３７が押さえられ落下時の衝撃にも外れることなく保持される。電池交換は、蓋５１を取外せば容易に行える。更に、電池ボックス３６の端子側（例えば＋側）と制御回路部３８の端子側とを配線４２を介してリードスイッチ部４１の両端子とを接続している。配線４２は配線通し穴４０を通してボックス本体３２内部から外部に延びており、この配線４２の先端にリードスイッチ部４１が接続され、リードスイッチ部４１は周囲を耐油性及び耐候性のよい軟質の合成樹脂（例えばポリウレタン等）で成型被覆されており、耐油性や防水性を確保し、且つ、内部のリードスイッチのガラスの破損防止を図っている。そしてリードスイッチ部４１は両面粘着テープ等で透明カバー１１５の所定の表面位置に貼付される。このリードスイッチ部４１は、第１のマグネット組立２のマグネット８の接近でＯＮとなり、発光ダイオード３４を点滅させるウインカー回路が作動し、マグネット８の離隔でＯＦＦとなる。
【００２２】
ここで配線４２の長さは、液体燃料タンク１０１の透明カバー１１５の表面から建物の窓ガラス６６までの距離でよいので、例えば２〜１０メートルというような長さでよい。次に蓋５１には制御基板３３に搭載されている発光ダイオード３４の先端位置に対応するようにレンズ取付穴５４を設け、このレンズ取付穴５４内に別の１個の拡散レンズ４６（前記ボックス本体３２内の底面部のレンズ取付穴４５に接着した一方の拡散レンズ４６と同型の、他方の拡散レンズ４６である。）の光放射部４９を挿通し、その拡散レンズ４６の先端部の光放射部４９を蓋５１の外部表面側に少々突出させて、蓋５１の裏面側のレンズ取付穴５４の周囲において、拡散レンズ４６の取付円板部４７を当接させて接着する。そして拡散レンズ４６の光導入部４８を、制御基板３３の発光ダイオード取付穴３５に挿入されて取付けられている発光ダイオード３４の先端部に臨ませている。これにより室内側からも発光ダイオード３４の点滅する光を、窓ガラス６６と警報表示板６１の警報光ガイド穴６３を通して視認可能としている。蓋５１の四隅には前記蓋取付部４４に対応して取付穴５５が設けられ、取付ねじ５６によりボックス本体３２に取付けられる。蓋５１の外表面中央部には接着剤にて貼付する雄ファスナー５２の位置決め凹部５７を設け、ここに雄ファスナー５２の裏面を接着剤にて貼付する。次に窓ガラス６６の室外側の適当な位置に前記雄ファスナー５２に対応する雌ファスナー５３を貼付し、回路ボックス３１を取付ける。そして、回路ボックス３１の着脱は雌雄のファスナーにより容易であり、蓋５１を開ければ乾電池３７の交換が容易に出来る。
【００２３】
ここで雄ファスナー５２とは、平面上に小型のフック状の突起部が密集して起立して生えているものであり、雌ファスナー５３とは、平面上に細い繊維の小型のリング状の突起部が密集して起立して生えているものであり、これ等の雄ファスナー５２と雌ファスナー５３の一対を重ね合せ圧接固着して使用し、剥がす時には端部から容易に引き剥がすことができる。これは繰返して使用できる固着手段であり、一方に雌雄のいずれかのファスナーを付けた場合には、対応する他方には必ずそれと対になるように、雌か雄のどちらかのファスナーを用いて、雌雄一対を重ね合せて使用することが必要条件である。そして窓ガラス６６の室内側にも、室外側に貼付された雌ファスナー５３に対応した位置に雌雄のいずれかのファスナーを貼付する（ここでは雌ファスナー５３を貼付している。）。そして警報表示板６１の裏面の所定位置に、窓ガラス６６の室内側に貼付された雌雄いずれかのファスナーと対になるような雌雄いずれかのファスナーを貼付する（ここでは雄ファスナー５２を貼付している。）。警報表示板６１の上方には、前記回路ボックス３１の蓋５１のレンズ取付穴５４から表面に少々突出している拡散レンズ４６の光放射部４９の先端部に対応して見える位置に警報光ガイド穴６３が来るように警報表示板６１を張付ける。警報表示板６１の取付けも雌雄のファスナー５３、５２を使用していて（警報表示板６１の裏面には雄ファスナー５２を貼付している。）、その着脱が容易なので、回路ボックス３１の光放射部４９を、警報光ガイド穴６３を通して見やすい位置に、警報表示板６１の取付け位置の調整が容易に出来る。そして警報表示板６１の表面には注意表示印刷６４を施してある（ここでは、「灯油なし」の文字と警報光ガイド穴６３の周囲には注意を引く模様を印刷して室内の人の注意を喚起している。
【００２４】
ここでは、窓ガラス６６を挟んで室外側に点滅する光を発する回路ボックス３１を取り付け、蓋５１の外部表面に少々突出させた拡散レンズ４６の先端部の光放射部４９と、室内側に取付けた警報表示板６１の警報光ガイド穴６３とが一直線上に対応配置されるように警報表示板６１の取付位置を容易に調整出来る。ところで雌雄ファスナー５２，５３の組合せの代わりに、例えば、永久磁石のＮ極、Ｓ極の組合せ等にても可能である。
【００２５】
次に、液面計１０２の透明カバー１１５の表面上の油分を拭い去り、フェルトペン等で液量表示目盛１１７の０（零）空タンク表示の直上の位置に、第１のマグネット組立２のマグネット８の当接位置とリードスイッチ部４１の取付け位置との両方の目印として丸印７２を付ける。第１のマグネット組立２のマグネット８の当接位置とリードスイッチ部４１との取付けは目印の丸印７２とし、この位置目当てに強力な両面粘着テープ等を用いて接着すればよい。リードスイッチ部４１は、ゲージキャップ１１４に被着された状態の透明カバー１１５の表面に接着されないと、配線４１の引回し処理が出来ない。透明カバー１１５の裏面に、前記取付け位置の目印としての丸印の所にマグネット８が当接するようにして、丸印位置にマグネット８が接近や離隔の移動をすると、リードスイッチ部４１が導通したり断絶して回路ボックス３１の発光ダイオード３４の点滅を確認できる。そして、透明カバー１１５の内面側に、第1のマグネット組立２を支点ブラケット１０の平坦部上の両面粘着テープ１５を用いて貼付する。
【００２６】
図３は、本発明に係る第１の実施の形態の第１のマグネット組立２の分解斜視図である。非磁性ＳＵＳ等のばね用薄板製の検知レバー３は、まずマグネット取付面４に隣接して支点穴部５を曲げ形成し、その後方に尾部６を形成して折返している。この尾部６はマグネット取付面４に比してやや短く設定してある。そして尾部６の端部を下方に折り返してマグネット取付面４の下方にて垂直下方向に垂下させてアーム部７を形成している。尾部６の端部を下方に折り返して支点穴部５の前後にてスポット溶接を施し、支点穴部５の下方開放部を塞いで、支点穴部５においてピン１４を抱時し、且つ、回動自在になるように形成してある。アーム部７は表示名板１１６の移動用溝１１９に干渉せずに移動可能なように幅方向に両側端部を切落して狭くなっており、このようにして検知レバー３が形成されている。そしてマグネット取付面４上には、両面粘着テープ９を用いてマグネット８が貼付されている。
【００２７】
更に、支点ブラケット１０は中央平坦部１１の両端曲げ起し部１２を形成し、この両端曲げ起し部１２にはピン挿通穴１３が設けてある。ピン１４が両端曲げ起し部１２の一方より挿通され、前記検知レバー３の支点穴部５に差込まれ、更に、両端曲げ起し部１２の他方に挿通され、このピン１４の両端面を少しつぶして両端曲げ起し部１２のピン挿通穴１３から抜け防止を図り、支点ブラケット１０に対して、検知レバー３が回動自在に枢支される。マグネット８を付けた検知レバー３は重力により、常にマグネット８側が下方に下がる状態になる。支点ブラケット１０の中央平坦部１１上面に両面粘着テープ１５が貼付されている。これは液面計１０２の透明カバー１１５の内面側に接着されて、支点ブラケット１０に枢支されている検知レバー３は、余分なばね等を使用せず自重とマグネット８の重さとの重力により、尾部６の端部が透明カバー１１５の内側面に当接するまで検知レバー３のマグネット側が下方に回動する。そして、後述するが検知レバー３は中心線７１に沿うように回動する。この時、アーム部７は表示名板１１６の移動用溝１１９に干渉せずに移動する。この状態ではリードスイッチ部４１からマグネット８は離隔されていてリードスイッチ部４１はＯＦＦとなっている。即ち、第１のマグネット組立２は余分なばね等を使用せず自重とマグネット８の重さとの重力により、リードスイッチ部４１がＯＦＦとなるように作用する。図４は、このような構成の、本発明に係る第１の実施の形態の第１のマグネット組立２の外観斜視図である。検知レバー３、支点ブラケット１０、ピン１４等は非磁性ＳＵＳ等のばね用薄板製が望ましい。
【００２８】
図５は、本発明に係る第２の実施の形態の第２のマグネット組立２１の外観斜視図である。これは貯留量指示部材（液量表示用指示円板）２２の下に連接してボス部２３が形成され、貯留量指示部材（液量表示用指示円板）２２の下方でボス部２３の上面との間に非磁性の薄いばね用ステンレス鋼板製のアーム部２４が設けられている。ボス部２３の下端面にはロッド挿入穴２５が設けられている。そしてアーム部２４の先端部に両面粘着テープ９によりマグネット８が接着されている。このような構造で第２のマグネット組立２１が成り立っている。尚、貯留量指示部材（液量表示用指示円板）２２と、アーム部２４と、ボス部２３とはポリウレタン等の耐油性材料を使用した一体成型が考えられる。
【００２９】
図６（ａ）は本発明に係る第１の実施の形態の液面検知警報表示装置１の要部の一部断面図である。図６（ａ）を参照すると、燃料タンク１０１の一部を破断して内部を示し、燃料タンク本体１０１Ａに設けられたゲージ口金１０１Ｂの上端開口部に、下ガスケット１２７、その上に表示銘板１１６のフランジ部を重ね、更に、上ガスケット１２８と透明カバー１１５を重ねて、その外側をゲージキャップ１１４にて被着して、両側面より取付けねじ１２０にて固定されている。そして表示銘板１１６の下方裏面には板状の支柱１２１が移動用溝１１９の中央寄りに溶接又はリベット等で固着してある。この支柱１２１の下端部に略く字形回動レバー１２２が、段付リベット用穴１２３Ａに段付リベット１２３を挿通させて回動自在に枢支されて設けられている。この略く字形回動レバー１２２の下方端部近傍には、段付リベット用穴１２３Ａ寄りにロッド用穴１２２Ａを設け、このロッド用穴１２２Ａ内にロッド１２５の曲げた一端部を通し、押え金具１２４を被せて、溶接等にて固着されたロッド１２５が下方に延在し、そのロッド１２５の他端部近傍にロッド１２５を折り曲げて脱落防止を図って取付けられたフロート１２６が、液体燃料タンク１０１内の液体燃料の表面に浮いている。そして、その液面高さに応じて、フロート１２６は、満タンク時には矢印Ａ方向に上昇し、そして灯油等の液体燃料が消費されて少なくなってくると矢印Ｂ方向に下降する。段付リベット１２３を中心に略く字形回動レバー１２２が回動自在に動く。そして略く字形回動レバー１２２の上端部に貯留量指示部材（液量表示用指針）１１８が形成されていて、移動用溝１１９に沿って溝内を動く。即ち、略く字形回動レバー１２２とロッド１２５とそのロッド１２５の先端に設けられたフロート１２６によりフロート部材１２９が形成される。そのフロート部材１２９を構成するフロート１２６の上昇下降に連動して、液体燃料タンク１０１内の液体の貯留量が貯留量指示部材（液量表示用指針）１１８にて指示される。
【００３０】
図６（ｂ）は本発明に係る液体燃料タンク１０１の液面計１０２の平面図であり、透明カバー１１５の内外面に、第１のマグネット組立２とリードスイッチ部４１を取付けるための説明図でもある（基本的には前記図１０で説明した液面計１０２の状態と同様である。）。初めに、透明カバー１１５の表面上の油分を拭い去り、水溶性フェルトペン等の筆記具にて透明カバー１１５の表面上に傷つけないようにして、貯留量指示部材（液量表示用指針）１１８の移動方向に沿わせて移動用溝１１９の中心線７１を描き、更に、油量表示目盛１１７の「０」空タンク表示位置の部位の直上の透明カバー１１５表面に丸印７２を記入する。次に取付ねじ１２０を抜き、ゲージキャップ１１４と透明カバー１１５とを外す。この時、ゲージキャップ１１４内に透明カバー１１５と上ガスケット１２８とを、一緒に組込んだままにしておくとよい。これにより透明カバー１１５の表面にリードスイッチ部４１を貼付した後のリードスイッチ部４１の取扱いが便利である。そして、前記丸印７２の裏面側にマグネット８が当接するようにし、且つ、中心線７１上に第１のマグネット組立２を配置し、検知レバー３が中心線７１に沿うように回動する位置にて支点ブラケット１０を両面粘着テープ１５にて透明カバー１１５の裏面側に貼付する。透明カバー１１５の表面側の丸印７２の位置にリードスイッチ部４１を仮に配置して、図６（ａ）の矢印Ｅおよび矢印Ｆ方向に、第１のマグネット組立２の検知レバー３を回動させて、マグネット８の離隔と近接とによりリードスイッチ部４１の断接を回路ボックス３１の発光ダイオード３４の点滅を２箇所の拡散レンズ４６を通して確認してから、透明カバー１１５の表面側の丸印７２の位置にリードスイッチ部４１を両面粘着テープ等により接着固定する。
【００３１】
ゲージキャップ１１４内に透明カバー１１５と上ガスケット１２８とを一緒に組込んだ状態で、透明カバー１１５の裏面側に第１のマグネット組立２を、表面側にリードスイッチ部４１を、夫々接着してある。その状態で透明カバー１１５と上ガスケット１１８とをゲージキャップ１１４にてゲージ金具１０１Ｂに被着させて、側方から取付ねじ１２０にて固定する。こうして、略く字形回動レバー１２２と、それに連接する貯留量指示部材（液量表示用指針）１１８と、第１のマグネット組立２の検知レバー３のアーム部７との関係が図６（ａ）の実線表示状態に配置される。そして、アーム部７と移動用溝１１９とが干渉せずに滑らかに動作するように取付けられていることを確認する。不具合であれば、取付けねじ１２０を緩めて透明カバー１１５の位置を回して調整して、取付けしなおせば良い。
【００３２】
次に、窓ガラス６６の表裏両面の油脂分や汚れを拭い去り、粘着テープにて、室外側には、例えば回路ボックス３１の蓋５１に貼付された雄ファスナー５２に対応した雌ファスナー５３を貼付し、室内側にも、警報表示板６１の裏面に貼付されている雄ファスナー５２に対応した雌ファスナー５３を、室外側に貼付された雌ファスナー５３に合わせて貼付する。ファスナーは雌雄で使用し、端部より引き剥がせば容易に剥すことが出来るが、剥そうとして力を加えなければ自然に剥れることは無く、繰返し着脱使用できるので便利である。窓ガラス６６の室外側の雌ファスナー５３に回路ボックス３１の蓋５１側の雌ファスナー５３を軽く押しつけて取付ける。次に窓ガラス６６の室内側の雌ファスナー５３に警報表示板６１の裏面の雄ファスナー５２を軽く押しつけて取付ける。この時、警報表示板６１の上方の警報光ガイド穴６３から、前記回路ボックス３１の蓋５１のレンズ取付穴５４から表面に少々突出している拡散レンズ４６の光放射部４９の先端部が良く見える位置に警報表示板６１を張付ける。警報表示板６１の取付けも雌雄のファスナー５３、５２を使用していて、その着脱が容易なので、回路ボックス３１の光放射部４９を、警報光ガイド穴６３を通して見やすい位置に、警報表示板６１の取付け位置の調整が容易に出来る。そして警報表示板６１の表面には注意表示印刷６４を施してある（ここでは、「灯油なし」の文字と警報光ガイド穴６３の周囲には注意を引く模様を印刷して室内の人の注意を喚起している。
【００３３】
このようにして、回路ボックス３１内に設けた２個の拡散レンズ４６の光導入部４８を、夫々、制御基板３３の、内部にＬＥＤチップを配設され、その周囲全体を透明エポキシ樹脂等で成型されてなる発光ダイオード３４に臨ませ、夫々、その外部に光放射部４９を回路ボックス３１の裏面側と、表面の蓋５１側の２方向に突出させているので、これにより室内側と、室外側との両方から発光ダイオード３４の点滅する光を視認可能である。このために液面検知警報表示装置１の取付時や点検保守時にもわざわざ室内側で、室外で作業する係員の他に、もう一人の人物により発光ダイオード３４の点滅の確認をしなくてもよく、室外側での発光ダイオード３４の点滅の確認作業が手軽に行えて便利である。
【００３４】
次に、本発明の液体燃料タンクの液面計に係る第１の実施の形態の液面検知警報表示装置１の動作を述べる。図６（ａ）を参照して、略く字形回動レバー１２２と、ロッド１２５と、フロート１２６とで形成されるフロート部材１２９のフロート１２６が、液体燃料タンク１０１内の液体燃料の表面に浮かぶ。そしてフロート１２６は液体燃料が消費されてくると、満タンク表示側から二点鎖線の矢印Ｂ方向に下降してくる。その時、段付リベット１２３を中心にフロート部材１２９の右方は下降し、フロート部材１２９の上方は略く字形回動レバー１２２に連接して設けられている貯留量指示部材（液量表示用指針）１１８が溝１１９内を二点鎖線の矢印Ｄ方向に移動する。この様に、満タンク側からＤ方向に移動してきた貯留量指示部材（液量表示用指針）１１８が第１のマグネット組立２の検知レバー３に当接し、第１のマグネット組立２は、そのピン１４を中心に二点鎖線の矢印Ｆ方向に回動される。貯留量指示部材（液量表示用指針）１１８が液体燃料タンク１０１の容積量の残り約１/４の表示位置に来た時に、接近してきたマグネット８の作用により、リードスイッチ部４１がＯＮとなる。これにより回路ボックス３１内の制御回路部３８の制御信号により発光ダイオード３４が点滅を開始する。この点滅は、残液量表示「０」零の空タンク状態になっても点滅し続ける。即ち、貯留量指示部材（液量表示用指針）１１８に係合されて回動する第１のマグネット組立２が満タンク側から移動してきて、空タンク手前の近傍位置（残液量が、液体燃料タンク１０１の容積量の残り約１/４の表示位置）からリードスイッチ部４１を動作させて、引続きＯＮさせ続ける。その後貯留量指示部材（液量表示用指針）１１８が、更に、空タンク位置に近づきながらマグネット８によりリードスイッチ部４１は、同じく液体の空タンク状態を検知し続ける。そして、本当に貯留量指示部材（液量表示用指針）１１８が残液量表示「０」零の空タンクの表示位置になって停止する。マグネット８が透明カバー１１５を挟んで、リードスイッチ部４１の直下の面に当接して、その動きが停止する。貯留量指示部材（液量表示用指針）１１８の矢印Ｄ方向の動作も停止している。そしてマグネット８によりリードスイッチ部４１は、液体の残液量表示「０」零の空タンク状態を検知し続ける。
【００３５】
次に、液体燃料が、その蓋を外して給油口１０３から（図１参照）、液体燃料タンク１０１内の容量の約１/４の位置まで補給されると、第１のマグネット組立２が、貯留量指示部材（液量表示用指針）１１８の矢印Ｃ方向の移動に追従して、自重等の重力によりピン１４を中心に矢印Ｅ方向に回動し、マグネット８がリードスイッチ部４１と離隔されて、リードスイッチ部４１がＯＦＦとなる。そして、発光ダイオード３４の赤色光の点滅が消える。以上述べたように、液体燃料消費時には、満タンク状態から、液体燃料タンク１０１内の液体燃料の残容積量が減少してきて残液量の貯留表示指示部材（液量表示用指針）１１８の指示が約１/４の表示位置になるとマグネット８がリードスイッチ部４１をＯＮとなし、発光ダイオード３４の赤色光の点滅をさせ、空タンクを検出し、且つ、空タンクの表示（発光ダイオード３４の赤色光の点滅表示）をし続け、完全に空タンクになっても空タンク表示を検出し続ける。逆に、液体燃料補給の時には、空タンク状態から、収容される液体燃料が、液体燃料タンク１０１内の収容容積量として増加されてきて貯留表示指示部材（液量表示用指針）１１８の指示が約１/４の表示位置まで補給されるとマグネット８がリードスイッチ部４１と離隔されてリードスイッチ部４１がＯＦＦとなり続ける。そして、発光ダイオード３４の赤色光の点滅表示も消えたままとなる。
【００３６】
ところで、本発明の液面燃料タンクの液面計に係る第１の実施の形態の液面検知警報表示装置１の取付時や点検保守時に、回路ボックス３１が窓ガラス６６に取付けられていて、窓ガラス６６を挟んで、室外側においては、回路ボックス３１の底面側（裏面側）のレンズ取付穴４５から、一方の拡散レンズ４６の先端部の光放射部４９を通して、発光ダイオード３４の赤色光の点滅表示を視認できる。そして、室内側においても回路ボックス３１の蓋５１の外部表面に少々突出させた他方の拡散レンズ４６の先端部の光放射部４９を通すと共に、警報表示板６１の警報光ガイド穴６３を通して、発光ダイオード３４の赤色光の点滅表示を、複数箇所（ここでは２箇所）から視認できる。このことは、設計変更により、その他の拡散レンズ４６や光ファイバ（図示せず）等を使用すれば、その他の複数の必要箇所にて、液面検知警報表示を視認できるために、空タンクの警報表示の見落す機会が少なくなり、一層便利である。
【００３７】
図７（ａ）は、本発明の液体燃料タンクの液面計に係る第２の実施の形態の液面検知警報表示装置１Ａの要部の一部断面図である。液体燃料タンク１０１の液体燃料タンク本体１０１Ａに設けたゲージ口金１０１Ｂの上端開口部に、ガスケット１４５を介在させてキャップ部材１４１を被せ、更に、その上にハット形の透明カバー１３５を載せ、そのフランジ部の外側にゲージキャップ１３４を被着させて側面から取付けねじ１４４にて固着してなる。ハット形の透明カバー１３５の表面には液量表示目盛１３７が施してある。第２のマグネット組立２１の構成として、貯留量表示部材（液量表示用指示円板）２２が、その先端にマグネット８が接着されているアーム部２４と、その下方に連設されたボス部２３（下端面部にロッド挿入穴２５を有する。）とを備えて形成されている。そして、第２のマグネット組立２１が、その下端面部のロッド挿入穴２５にロッド１４０を挿着させて上下動する様子が透過して見える。そして下方に延在するロッド１４０は、キャップ部材１４１の中心部に設けられた上方案内穴１４１Ａに緩挿案内され、更に、図７に一部断面図示の、液体燃料タンク１０１内に延在してキャップ部材１４１の下側裏面に、曲げ起し座面（３個）により固着された、断面コ字形状の支柱１４２の途中に設けられた曲げ起し部１４３に穿たれた下案内穴１４３Ａにも緩挿案内されている。更に、延在するロッド１４０の下方端部は、図７には示されてないが（従来技術の図１２（ａ）、（ｂ）と同様であり、これらの図を参照すると、）、その下方端末は圧造されて成形された平坦部１４０Ａと、その平面に設けられた穴１４０Ｂを有している。即ち、ロッド１４０は恰も下端が櫂のように広がった形状をなし、そこに穴１４０Ｂが設けられている。そこにリンク部材１６１を介してフロート部材１５３が連動する。即ち、液体燃料タンク１０１内にて、上昇下降するフロート部材１５３を形成するフロート１２６（図示せず）と、上下動する第２のマグネット組立２１とが連動するようになっている。
【００３８】
図７（ｂ）は、本発明の液体燃料タンクの液面計に係る第２の実施の形態の液面検知警報表示装置１Ａの要部の側面図であり、第２のマグネット組立２１とリードスイッチ部４１との取付の説明図でもある。初めに、ハット形の透明カバー１３５の表面上の油分を拭い去り、水溶性フェルトペン等の筆記具にて透明カバー１３５の表面上に傷つけないようにして、油量表示用指示円板２２の移動方向に沿わせて母線７５を描き、更に、その母線７５の上に沿って、液量表示目盛１３７の「０」零の空タンク表示位置の部位から所定距離（例えば５〜１５ミリメートル）下方に丸印７６を記入する。次に取付ねじ１４４を外し、ゲージキャップ１３４と透明カバー１３５を外し、第２のマグネット組立２１をロッド１４０の先端に挿入する。ここで、既設の別の液面計１３０に後付け工事をする場合には、液量表示用指示円板１３８の代わりに、第２のマグネット組立２１を用いれば良い。次に、ゲージキャップ１３４内に、透明カバー１３５と、中心部に設けられた上方案内穴１４１Ａ内にロッド１４０が緩挿されているキャップ部材１４１と、前記ロッド１４０の先端に挿入されている第２のマグネット組立２１とガスケット１４５を一緒に組込んで置く。こうしておくとリードスイッチ部４１の配線４２が取扱いやすい。ここで液体燃料タンク１０１内に満タンク、又は、満タンク時の約１/２程度の液体燃料が入っていると、フロート１２６が液体燃料タンク１０１内の上方に位置するので、取付作業に好都合である。透明カバー１３５の前記した表面側の母線７５に沿って透明カバー１３５の内周側面に案内されて、第２のマグネット組立２１のマグネット８が上昇と下降するように、ゲージキャップ１３４内に組込んだ透明カバー１３５を回転させるか、又は、第２のマグネット組立２１の差込み位置を回転させるかして微調整するとよい。
【００３９】
そして、前記したように、その母線７５に沿って、液量表示目盛１３７の「０」零の空タンク表示位置の部位から所定距離（例えば５〜１５ミリメートル）下方に記入した丸印７６の箇所にリードスイッチ部４１を仮に配置する。そして、ゲージキャップ１３４内に、透明カバー１３５とキャップ部材１４１とガスケット１４５を組込んだ状態で、第２のマグネット組立２１のマグネット８が透明カバー１３５の内周側面に案内されて、前記した表面側の母線７５に沿って上下方向に移動するようにさせて（透明カバー１３５を上下動させるようにすると良い。）、この時、第２のマグネット組立２１の貯留量指示部材（液量表示用指示円板）２２の位置が液体燃料タンク１０１の満タンクの容量の約１/４の表示位置でリードスイッチ部４１のＯＮ，又は、ＯＦＦが切替わることを確認する。即ち、マグネット８により丸印７６の所に配置されたリードスイッチ部４１がＯＮになる位置が、貯留量指示部材（液量表示用指示円板）２２の指示する位置として、残液量約１/４の表示位置である。このことは、例えば透明カバー１３５を徐々に持上げて、あたかも第２のマグネット組立２１の貯留量指示部材（液量表示用指示円板）２２の指示位置が、液体燃料タンク１０１の満タンク側から液体燃料が消費されて、残液量が約１/４の表示位置を指示する状態を作れば、その時に、マグネット８によりリードスイッチ部４１がＯＮとなり、回路ボックス３１内の発光ダイオード３４の点滅する赤色光を確認できる。その時、発光ダイオード３４の点滅が行われない場合には、リードスイッチ部４１を水平方向に少しずらせれば点滅するようになる。その位置でリードスイッチ部４１を両面粘着テープ等にて固着すればよい。次に、ゲージ金具１０１Ｂの上端開口部に、ガスケット１４５を介在させてキャップ部材１４１と透明カバー１３５とを重ね、ゲージキャップ１３４により被着させて、側面から取付けねじ１４４にて固着すればよい。
【００４０】
次に、本発明の液体燃料タンクの液面計の、第１の実施の形態と同様で、重複する部分があるが、第２の実施の形態であるので、そのまま繰返して述べる。まず、窓ガラス６６の表裏両面の油脂分や汚れを拭い去り、粘着テープにて、室外側には、例えば回路ボックス３１の蓋５１に貼付された雄ファスナー５２に対応した雌ファスナー５３を貼付し、室内側にも、警報表示板６１の裏面に貼付されている雄ファスナー５２に対応した雌ファスナー５３を、室外側に貼付された雌ファスナー５３に合わせて貼付する。ファスナーは雌雄で使用し、端部より引き剥がせば容易に剥すことが出来るが、剥そうとして力を加えなければ自然に剥れることは無く、繰返し着脱使用できるので便利である。窓ガラス６６の室外側の雌ファスナー５３に回路ボックス３１の蓋５１側の雄ファスナー５２を軽く押しつけて取付ける。次に窓ガラス６６の室内側の雌ファスナー５３に警報表示板６１の裏面の雄ファスナー５２を軽く押しつけて取付ける。この時、警報表示板６１の上方の警報光ガイド穴６３から、前記回路ボックス３１の蓋５１のレンズ取付穴５４から表面に少々突出している拡散レンズ４６の光放射部４９の先端部が良く見える位置に警報表示板６１を張付ける。警報表示板６１の取付けも雌雄のファスナー５３、５２を使用していて、その着脱が容易なので、回路ボックス３１の光放射部４９を、警報光ガイド穴６３を通して見やすい位置に、警報表示板６１の取付け位置の調整が容易に出来る。そして警報表示板６１の表面には注意表示印刷６４を施してある（ここでは、「灯油なし」の文字と警報光ガイド穴６３の周囲には注意を引く模様を印刷して室内の人の注意を喚起している。
【００４１】
本発明の液体燃料タンクの液面計に係る第２の実施の形態の液面検知警報表示装置１Ａの設置や点検保守時にも、前記第１の実施の形態の液面検知警報表示装置１と同様の働きを示す。即ち、第２のマグネット組立２１は部品点数も少なくて、取扱いも簡単で、安価である。そして、回路ボックス３１内に設けた底面側のレンズ取付穴４５と、蓋５１のレンズ取付穴５４の２個所の拡散レンズ４６を、制御基板３３の発光ダイオード３４の尾底部と先頭部との２個所（複数個所）に臨ませ、外部に光放射部４９を突出させているので、これにより室内側は勿論、室外側からも発光ダイオード３４の点滅する赤色光を視認可能である。液面検知警報表示装置１Ａの取付時や点検保守時にもわざわざ室内側からの発光ダイオード３４の点滅の確認を行わなくても、室外側での発光ダイオード３４の点滅の確認作業が可能で便利である。
【００４２】
次に、本発明の液体燃料タンクの液面計に係る第２の実施の形態の液面検知警報表示装置１Ａの動作を述べる。図７（ａ）と、補完的に図１２（ａ）を参照して、フロート部材１５３が回動板１５４とロッド１５９とフロート１２６とにより構成される。そのフロート部材１５３のフロート１２６は、液体燃料タンク１０１内の液体燃料が消費されてくると、満タンク表示側から二点鎖線の矢印Ｊ方向に下降してくる（図１２（ａ）を参照）。その時第１のピン１５１を中心にフロート部材１５３の右方は下降し、フロート部材１５３とリンク部材１６１にて連接する第２のマグネット組立２１を構成する貯留量指示部材（液量表示用指示円板）２２が二点鎖線の矢印Ｈ方向に移動する（図７（ａ）参照）。この様に満タンク側から矢印Ｈ方向に移動してきた貯留量指示部材（液量表示用指示円板）２２が液体燃料タンク１０１の容積量の残り約１/４の位置に来た時に、接近してきたマグネット８の作用によりリードスイッチ部４１がＯＮとなる。これにより回路ボックス３１内の制御回路部３８の制御信号により発光ダイオード３４が赤色光の点滅表示を開始する。この赤色光の点滅表示は空タンク状態になっても点滅表示し続ける。
【００４３】
即ち、貯留量指示部材（液量表示用指示円板）２２に係合されて作動する第２のマグネット組立２１が満タンク側から移動してきて空タンク表示手前の近傍位置（残液量が、液体燃料タンク１０１の容積量の残りの約１/４の位置）からリードスイッチ部４１を動作させて、引続きＯＮさせ続ける。その後、貯留量指示部材（液量表示用指示円板）２２が、更に、空タンク位置に近付きながらマグネット８によりリードスイッチ部４１は、同じく液体の空タンク状態を検知し続ける。そして、本当に貯留量指示部材（液量表示用指示円板）２２が、残液量の空タンク位置になって停止すると、マグネット８が透明カバー１３５の側周面を挟んで、リードスイッチ部４１の近傍に当接して、その動きが停止する。貯留量指示部材（液量表示用指示円板）２２の矢印Ｈ方向の動作も「０」零の空タンク表示をし続けて停止している。そしてマグネット８によりリードスイッチ部４１は、液体の空タンク状態を検知し続け、発光ダイオード３４も赤色光の点滅表示をし続ける。
【００４４】
次に、液体燃料が、液体燃料タンク１０１の蓋を外して給油口１０３から（図１参照）補給され、貯留量指示部材（液量表示用指示円板）２２の指示が液体燃料タンク１０１内の容積量の残液量の約１/４の位置まで上昇してくると、第２のマグネット組立２１が、貯留量指示部材（液量表示用指示円板）２２の動作に追従して矢印Ｇ方向に移動して、マグネット８がリードスイッチ部４１と離隔されて、リードスイッチ部４１がＯＦＦとなる。以上述べたように液体燃料消費時には、満タンク状態から液体燃料タンク１０１内の液体燃料の残容積量は減少してきて、貯留量指示部材（液量表示用指示円板）２２の指示が約１/４の残液量の表示位置になると、接近するマグネット８の作用によりリードスイッチ部４１がＯＮとなり、空タンクを検出し、その後も、空タンクを表示し発光ダイオード３４の赤色光の点滅表示をし続け、完全に空タンクになっても空タンクを検出し、且つ空タンクの警報表示をし、発光ダイオード３４の赤色光の点滅表示をし続ける。逆に、液体燃料補給の時には、空タンク状態から収容される液体燃料が、増加されてきて、液体燃料タンク１０１内の容積量として、貯留量指示部材（液量表示用支持円板）２２の指示が約１/４の表示位置まで補給されると、マグネット８がリードスイッチ部４１と離隔されて、リードスイッチ部４１がＯＦＦとなり続け、発光ダイオード３４の赤色光の点滅表示は消えている。
【００４５】
また、本発明に係る液面検知警報表示装置を備えた液体燃料タンクの液面計は、上記した実施の形態に限定されるものではなく、本発明の要旨を逸脱しない範囲内において種々変更を加え得ることは勿論である。
【産業上の利用可能性】
【００４６】
本発明に係る液面検知警報表示装置を備えた液体燃料タンクの液面計は、一般の家庭での利用は勿論のこと各種産業界においても利用可能である。
【図面の簡単な説明】
【００４７】
【図１】本発明に係る液体燃料燃焼装置と別設の液体燃料タンクと液面検知警報表示            装置を備えた液体燃料タンクの液面計の構成図。
【図２】本発明の液体燃料タンクの液面計に係る第１の実施の形態の液面検知警報表            示装置の分解斜視図。
【図３】本発明に係る第１の実施の形態の第１のマグネット組立の分解斜視図。
【図４】本発明に係る第１の実施の形態の第１のマグネット組立の外観斜視図。
【図５】本発明に係る第２の実施の形態の第２のマグネット組立の外観斜視図。
【図６】（ａ）は本発明の液体燃料タンクの液面計に係る第１の実施の形態の液面検知警報表示装置の要部の一部断面図で、（ｂ）は本発明の液体燃料タンクの液面計に係る第１の実施の形態の液体燃料タンクの液面計の平面図。
【図７】（ａ）は本発明の液体燃料タンクの液面計に係る第２の実施の形態の液体燃料タンクの液面検知警報表示装置の要部の一部断面図で、（ｂ）は本発明の液体燃料タンクの液面計に係る第２の実施の形態の液体燃料タンクの液面検知警報表示装置の要部の側面図。
【図８】従来の液体燃料燃焼装置と別設液体燃料タンクとその液面計の構成図。
【図９】従来の液体燃料タンクの液面計の平面図。
【図１０】従来の液体燃料タンクの液面計の要部縦断正面図。
【図１１】従来の液体燃料タンクの液面計の要部縦断側面図。
【図１２】（ａ）は従来の別の形式の液体燃料タンクの液面計の要部縦断正面図で、（ｂ）は（ａ）の部分詳細斜視図。
【符号の説明】
【００４８】
１…第１の実施の形態の液面検知警報表示装置、１Ａ…第２の実施の形態の液面検知警報表示装置、２…第１のマグネット組立、２１…第２のマグネット組立、３１…回路ボックス、４１…リードスイッチ部、４２…配線、６１…警報表示板。
【図１】
2005214523.tif 000003
【図２】
2005214523.tif 000004
【図３】
2005214523.tif 000005
【図４】
2005214523.tif 000006
【図５】
2005214523.tif 000007
【図６】
2005214523.tif 000008
【図７】
2005214523.tif 000009
【図８】
2005214523.tif 000010
【図９】
2005214523.tif 000011
【図１０】
2005214523.tif 000012
【図１１】
2005214523.tif 000013
【図１２】
2005214523.tif 000014